(57)【要約】【課題】  簡易な構造で採光性、断熱性及び生産性を向上させることができる開口部装置を提供する。【解決手段】  建物開口部に沿って設けられた枠体、及び、枠体の見付方向内側に配置されるとともに、ガラスパネルと框とを有する障子、を備え、框には、底片と底片の両端から立設する二つの片とを有する、断面形状がコ字状の被覆片が備えられるとともに、当該被覆片の底片には、コ字状の開口側に向かって凸である凸部が設けられ、被覆片とガラスパネルとが接着手段により接着されて、該ガラスパネルの外縁が前記框に覆われるとともに、凸部の少なくとも一部が、ガラスパネルの見付け方向外側端面よりも、見付け方向内側に突出している、開口部装置とする。【選択図】図２
2010281073.tif 000002
【特許請求の範囲】
【請求項１】
建物開口部に沿って設けられた枠体、及び、該枠体の見付方向内側に配置されるとともに、ガラスパネルと框とを有する障子、を備え、
前記框には、底片と該底片の両端から立設する二つの片とを有する、断面形状がコ字状の被覆片が備えられるとともに、該被覆片の前記底片には、前記コ字状の開口側に向かって凸である凸部が設けられ、
前記被覆片と前記ガラスパネルとが接着手段により接着されて、該ガラスパネルの外縁が前記框に覆われるとともに、前記凸部の少なくとも一部が、前記ガラスパネルの見付け方向外側端面よりも、見付け方向内側に突出している、開口部装置。
【請求項２】
前記凸部が、前記框に備えられたタッピングホールである、請求項１に記載の開口部装置。
【請求項３】
前記凸部が、前記底片の略中央に設けられている、請求項１又は２に記載の開口部装置。
【発明の詳細な説明】
【技術分野】
【０００１】
本発明は住宅や公共施設等の建物開口部に好適に用いられる開口部装置に関する。
【背景技術】
【０００２】
建物開口部に備えられるスイング式、引戸式、及び嵌殺し式の窓等のような開口部装置は、建物開口部の縁に沿って配置される枠体と、該枠体の内側に設けられる障子とを備えており、さらに障子はガラスパネルと該ガラスパネルの四辺に沿って配置される框とを有している。
【０００３】
ガラスパネルへの框の取り付けは、断面形状略コ字状である框の該コ字状の内側にガラスパネルの端部を差し込むようにして行われるが、従来においては例えば特許文献１に記載のように、グレージングチャンネルを介していた。当該グレージングチャンネルにより框をガラスパネルに安定して取り付けできるとされている。
【先行技術文献】
【特許文献】
【０００４】
【特許文献１】特開２００５−２０７２１９号公報
【発明の概要】
【発明が解決しようとする課題】
【０００５】
しかしながら、このように框の取り付けにグレージングチャンネルやビード材を用いることは、框材を太く形成する必要があり、その分ガラスパネルの採光面積が狭くなってしまう。従って、框を小型化して採光性を向上させたいとの要望が多い。また、框を細くすることにより、断熱性の高いガラス部分の面積を大きくすることもできる。
【０００６】
さらに、グレージングチャンネルやビード材を用いる場合、その分の部品点数の増加し、組立工程も必要となってしまうため、これら問題を解決してさらに簡易な構造で容易な製造工程による開口部装置も求められている。
【０００７】
そこで、本発明は上記問題点に鑑み、簡易な構造で採光性、断熱性及び生産性を向上させることができ、強度が確保された開口部装置を提供することを課題とする。
【課題を解決するための手段】
【０００８】
以下、本発明について説明する。尚、本発明の理解を容易にするために添付図面の参照符号を括弧書きにて付記するが、それにより本発明が図示の形態に限定されるものではない。また、本明細書において、「見付け方向」とは、建物開口部に備えられる開口部装置の開口面に沿った方向を意味する。また、「見込み方向」とは開口部装置の開口面と直交する方向（厚さ方向）を意味し、「見込み方向室外側」とは、開口部装置が建物に取り付けられた姿勢で室外側となる方向であり、「見込み方向室内側」は、開口部装置が建物に取り付けられた姿勢で室内側となる方向である。
【０００９】
本発明は、建物開口部に沿って設けられた枠体（１０）、及び、該枠体の見付方向内側に配置され、ガラスパネル（２５、３５）と框（２１、２２、３１、３２）とを有する障子、を備え、框には、底片と当該底片の両端から立設する二つの片とを有する、断面形状がコ字状の被覆片（２１ｃ、２２ｃ、３１ｃ、３２ｃ）が備えられるとともに、被覆片の底片には、コ字状の開口側に向かって凸である凸部（２１ｄ、２２ｄ、３１ｄ、３２ｄ）が設けられ、被覆片とガラスパネルとが接着手段により接着されて、ガラスパネルの外縁が框に覆われるとともに、凸部の少なくとも一部が、ガラスパネルの見付け方向外側端面よりも、見付け方向内側に突出している、開口部装置（１００）を提供して前記課題を解決するものである。
【００１０】
本発明において、上記凸部（２１ｄ、２２ｄ、３１ｄ、３２ｄ）が、框（２１、２２、３１、３２）に備えられたタッピングホールであることが好ましい。タッピングホールを凸部として用いることで、框製造時に新たに凸部を設けるための工程を増やす必要がなくなるため製造コストを抑えることができ、且つ、框をネジ留めしてさらなる強度の確保が可能となるからである。
【００１１】
本発明において、上記凸部（２１ｄ、２２ｄ、３１ｄ、３２ｄ）が、上記被覆片（２１ｃ、２２ｃ、３１ｃ、３２ｃ）の底片の略中央に設けられていることが好ましい。コ字状の被覆片とガラスパネルとを接着する際、接着剤等の接着手段が、より均等に行きわたり、良好な接着を得ることができるからである。
【発明の効果】
【００１２】
本発明は、框とガラスパネルとを直接接着することにより、框の見付け寸法を小さくすることができるので、採光性、断熱性に優れる開口部装置とすることができる。また、凸部の存在により、接着面積が大きくなり、接着強度を向上させることができる。さらに、框に設けられた凸部を利用することで、ガラスパネルと框との接着面において、接着手段、例えば接着剤を均一に行き渡らせることができる。凸部の少なくとも一部が、ガラスパネルの見付け方向外側端面よりも、見付け方向内側に突出していることで、凸部が障子の見付け寸法へ与える影響を抑えることもできる。一方、ガラスパネルの框への差し込み長さや、凸部の大きさ等を適宜調整することによって、ガラスパネルと框とを接着する際に必要とされる接着剤の量を適宜変更可能とされる。また、十分な強度を得るために必要とされる接着剤の最低限の量を容易に計算することができるので、製造の際に必要となる接着剤の量を見積もることがより容易となり、生産性に優れる。以上のことから、本発明によれば、従来よりも簡易な構造で採光性、断熱性及び生産性を向上させることができ、強度が確保された開口部装置を提供することが可能となる。
【図面の簡単な説明】
【００１３】
【図１】開口部装置の室内正面視における概略図である。
【図２】開口部装置の縦断面を概略的に示す図である。
【図３】開口部装置の縦断面を概略的に示す図である。
【図４】開口部装置の横断面を概略的に示す図である。
【図５】上横框とガラスパネルとの接着構造を説明するための図である。
【図６】上横框とガラスパネルとの接着構造を説明するための図である。
【図７】下横框とガラスパネルとの接着構造を説明するための図である。
【図８】変形例にかかる開口部装置の横断面を概略的に示す図である。
【００１４】
本発明のこのような作用及び利得は、次に説明する発明を実施するための形態から明らかにされる。尚、下記実施形態においては、建物開口部に備えられる引戸式のサッシ窓について説明するが、本発明は、框とガラスパネルとを接着可能な開口部装置であれば、特に限定されずに適用することができる。
【発明を実施するための形態】
【００１５】
以下本発明を図面に示す実施形態に基づき説明する。図１は、一実施形態にかかる開口部装置１００が建物開口部に取り付けられた姿勢における、当該開口部装置１００の室内視正面図である。図１において開口部装置１００は両戸先側が開放された姿勢にある。図２は、図１にＩＩ−ＩＩで示した線（垂直方向）に沿った断面図である。図３は、図１にＩＩＩ−ＩＩＩで示した線（垂直方向）に沿った断面図である。図４は、図１にＩＶ−ＩＶで示した線（水平方向）に沿った断面図である。但し、図４においては、開口部装置１００が閉鎖された姿勢にある。図２、３では紙面左側が室外側、紙面右側が室内側となっている。また、図４では紙面下側が室内側、紙面上側が室外側となっている。図が煩雑となるのを防ぐため、いずれの図においても、部材の一部を省略して示している。本実施形態において、開口部装置１００は、いわゆる引戸式の引き違いサッシ窓である。
【００１６】
開口部装置１００は、建物開口部の四辺に沿って配置される枠体１０、及び当該枠体１０の見付け方向内側に具備されて引戸式に開閉する障子２０、３０を備えている。また、施錠装置４０が設けられ、障子２０、３０の施錠及び開錠を可能としている。
【００１７】
＜枠体１０＞
枠体１０は、上下のそれぞれに水平に配置される長尺部材である横枠１１、１２、及び当該横枠１１、１２の端部を渡して設けられる長尺部材である縦枠１４、１５を備え、これらが枠状に形成されている。
【００１８】
横枠１１は、枠体１０の上横枠に相当する枠材である。横枠１１は、図２及び図３に表される断面において、片１１ａ〜１１ｇを有して、紙面奥手前に延在している。横枠１１は、見込み方向に延びる片１１ａを備えており、当該片１１ａの見込み方向室内側端部には、見付け方向内側に延びる片１１ｂが設けられている。また、片１１ｂの見込み方向室内側面からは、見込み方向室内側に延びる片１１ｃが設けられている。一方、片１１ａの見付け方向内側面において、見付け方向室内側に延びる片１１ｄ〜１１ｆが設けられており、これら片１１ｄ〜１１ｆは、障子２０、３０や任意に備えられる網戸（不図示）をスライドさせるための上部レールとして機能する。また片１１ａの見付け方向外側面において、見付け方向外側に延びる片１１ｇが備えられ、横枠１１を建物躯体に取り付け可能としている。
【００１９】
横枠１２は、枠体１０の下横枠に相当する枠材である。横枠１２は、図２及び図３に表される断面において、片１２ａ〜１２ｋを有して、紙面奥手前に延在している。横枠１２には、見込み方向に延びる片１２ａが備えられている。当該片１２ａは、見込み方向室外側端部において見付け方向内側に延びる片１２ｂ、見付け方向外側に延びる片１２ｃを備え、見込み方向室内側端部において見付け方向内側に延びる片１２ｄ、見付け方向外側に延びる片１２ｅを備えている。当該片１２ｄと片１２ｅとの間には、見込み方向室内側に延びる片１２ｆが備えられている。また、片１２ａの見付け方向内側面からは、見付け方向内側に向かって片１２ｇ、１２ｈが延びている。一方、片１２ａの見付け方向外側面からは、見付け方向外側に向かって片１２ｊが延びている。また、片１２ｃと片１２ｊとを渡すように、片１２ｋが設けられている。片１２ｂの見付け方向内側端部は、任意に備えられる網戸（不図示）をスライドさせるための下部レールとして機能する。また、片１２ｇ、１２ｈに、障子２０、３０の下横框２２、３２内に備えられた戸車２８、３８が載置されて、障子２０、３０をスライド可能としている。さらに、片１２ａ、１２ｃ、１２ｊ、１２ｋによって囲まれる空間は中空とされており、例えば当該空間を介して、下横枠の排水がなされ得る。排水のため、片１２ａ、１２ｃ等に、排水口や排水弁が設けられていてもよい。
【００２０】
縦枠１４、１５は、図４に示される断面において、片１４ａ〜１４ｅ、１５ａ〜１５ｅを有して、紙面奥手前に延在している。縦枠１４、１５は、見込み方向に延びる片１４ａ、１５ａを備えている。また、縦枠１４、１５の見込み方向室内側端部、及び見込み方向室外側端部には、片１４ｂ、１４ｅ、１５ｂ、１５ｅが備えられている。さらに、縦枠１４、１５の見付け方向内側面からは、見付け方向内側に延びる片１４ｃ、１５ｃが備えられており、当該片１４ｃ、１５ｃと、障子２０、３０の戸先框２３、３３に備えられるフィンとによって、縦縁の水密気密が保たれている。一方、縦枠１４、１５の見付け方向外側面からは、見付け方向外側に延びる片１４ｄ、１５ｄが備えられ、縦枠１４、１５の建物躯体への固定を可能としている。また、縦枠１４、１５の見付け方向内側面には、見込み方向室内側に、カバー部材８０、８１が備えられている。当該カバー部材８０、８１が備えられることによって、障子２０、３０の閉鎖の姿勢で、後述する戸先框２３、３３が、室内視において隠蔽された状態となる。そのため、開口部装置１００の意匠性を向上させることができる。また、カバー部材８０、８１が備えられることで、戸先框２３、３３を介しての室内外の熱交換が抑えられるので、断熱性に優れる開口部装置１００とすることができる。カバー部材８０、８１の材質については、断熱性の観点から樹脂とすることが好ましい。
【００２１】
＜障子２０＞
障子２０は、内障子に相当する障子で、上横框２１、下横框２２、戸先框２３、内召し合わせ框２４、ガラスパネル２５、及び把手２６が備えられている。
【００２２】
（上横框２１）
上横框２１は、図２に表される断面において、見込み方向室内側に面する室内側片２１ａと、見込み方向室外側に面する室外側片２１ｂと、ガラスパネル２５の外縁を覆うように略コ字状に形成されたコ字状被覆片２１ｃとを有して、紙面奥手前に延在している。また、図２からわかるように、上横框２１のコ字状被覆片２１ｃの、開口と対向する底片の略中央部には、タッピングホール２１ｄが設けられており、ここにネジを通して、上横框２１と、後述する戸先框２３及び内召し合わせ框２４と、を固定可能としている。さらに、コ字状被覆片２１ｃとガラスパネル２５とは接着手段５０ａを介して直接接着され、上横框２１とガラスパネル２５とが一体とされている。上横框２１とガラスパネル２５とが直接接着されることで、上横框２１の見付け幅を縮小することができ、ガラスパネル２５の採光面積を拡大することができる。また、外観視において框の与える影響が少なくなり、シンプルで意匠性に優れた開口部装置とすることができる。さらに、ガラスパネル部分をより大きくとることができるので、断熱性に優れる開口部装置とすることができる。
【００２３】
（下横框２２）
下横框２２は、図２で示される断面において、見込み方向室内側に面する室内側片２２ａと、見込み方向室外側に面する室外側片２２ｂと、ガラスパネル２５の外縁を覆うように略コ字状に形成されたコ字状被覆片２２ｃとを有して、紙面奥手前に延在している。また、図２からわかるように、上横框２１のコ字状被覆片２２ｃの、開口と対向する底片の略中央部には、タッピングホール２２ｄが設けられており、ここにネジを通して、下横框２２と、後述する戸先框２３及び内召し合わせ框２４と、を固定可能としている。さらに、コ字状被覆片２２ｃとガラスパネル２５とは接着手段５０ｂを介して直接接着され、下横框２２とガラスパネル２５とが一体とされている。下横框２２とガラスパネル２５とが直接接着されることで、下横框２２の見付け幅を縮小することができ、ガラスパネル２５の採光面積を拡大することができる。また、外観視において框の与える影響が少なくなり、シンプルで意匠性に優れた開口部装置とすることができる。さらに、ガラスパネル部分をより大きくとることができるので、断熱性に優れる開口部装置とすることができる。一方、下横框２２の、片２２ａ〜２２ｃによって囲まれる空間には戸車２８が備えられ、当該戸車２８は、下横枠１２の片１２ｈに載置されることで障子２０がスライド可能とされている。また、片２２ｂの見込み方向室内側面にはフィンが設けられ、下横枠１２の片１２ｈと接することで障子２０下縁の水密気密が保たれている。
【００２４】
（戸先框２３）
戸先框２３は、図４で示される断面において、室内側片２３ａ、室外側片２３ｂ、及びコ字状被覆片２３ｃで示される形状を有して、紙面奥手前に延在している。これら片２３ａ〜２３ｃは一体に形成されており、コ字状被覆片２３ｃとガラスパネル２５とが、接着剤等の接着手段５０ｅにより直接接着されることで、戸先框２３とガラスパネル２５とが一体とされている。戸先框２３とガラスパネル２５とが直接接着されることで、戸先框２３の見付け幅を縮小することができ、ガラスパネル２５の採光面積を拡大することができる。また、外観視において框の与える影響が少なくなり、シンプルで意匠性に優れた開口部装置とすることができる。戸先框２３の片２３ｂの見込み方向室内側面にはフィンが設けられ、縦枠１５の片１５ｃと接することで障子２０横縁の水密気密が保たれている。また、図１に示されるように、戸先框２３の略中央部には把手２６が設けられ、障子２０を見付け方向に容易にスライド可能としている。尚、本実施形態において障子２０は、いわゆる縦通しの框構造を有するため、戸先框２３には、タッピングホールが設けられていない。
【００２５】
（内召し合わせ框２４）
内召し合わせ框２４は、内召し合わせ部に用いられる縦框である。内召し合わせ框２４は、図４で示される断面において、略矩形状の矩形部２４ａ、２４ｂと略コ字状のコ字状被覆片２４ｃとを有して、紙面奥手前に延在している。矩形部２４ａは見込み方向室内側に面して形成され、矩形部２４ｂは障子２０においてガラスパネル２５よりも見付け方向外側であって矩形部２４ａよりも見込み方向室外側に形成されている。また、矩形部２４ｂの見込み方向室外側面には、障子２０の見付け方向内側に形成された爪部２４ｅが設けられており、外召し合わせ框３４の爪部３４ｅと係合可能とされている。コ字状被覆片２４ｃは、障子２０において矩形部２４ｂの見付け方向内側に形成され、当該コ字状内部にガラスパネル２５の外縁が挿入されている。これら矩形部２４ａ、２４ｂ及びコ字状被覆片２４ｃは一体に形成されており、コ字状被覆片２４ｃとガラスパネル２５とが接着剤等の接着手段５０ｆにより直接接着されることで、内召し合わせ框２４とガラスパネル２５とが一体とされている。内召し合わせ框２４とガラスパネル２５とが直接接着されることで、内召し合わせ框２４の見付け幅を縮小することができ、ガラスパネル２５の採光面積を拡大することができる。また、外観視において框の与える影響が少なくなり、シンプルで意匠性に優れた開口部装置とすることができる。また、内召し合わせ框２４の略中央部には施錠装置４０が設けられ、障子２０、３０の施錠及び開錠を可能としている。尚、本実施形態において障子２０は、いわゆる縦通しの框構造を有するため、戸先框２３には、タッピングホールが設けられていない。
【００２６】
（ガラスパネル２５）
ガラスパネル２５は、いわゆる複層ガラスパネルであり、矩形板状である２枚の板ガラスが室内外方向に所定の間隔を有して並列されている。当該２枚の板ガラスの間隙により形成される空間のうち、その外周端部には該外周端部に沿ってスペーサ５１ａ、５１ｂ、５１ｅ、５１ｆが配置されている。スペーサ５１ａ、５１ｂ、５１ｅ、５１ｆは、シール部材を備え、これにより、２枚の板ガラスを一体に保持して水密気密を得ることができる。また、スペーサ５１ａ、５１ｂ、５１ｅ、５１ｆに乾燥剤を含ませれば、空間内側を適切な湿度に保つことも可能となる。
【００２７】
上記框２１〜２４とガラスパネル２５とは、ガラスパネル２５の外縁の少なくとも一部に、好ましくは外縁に沿って、接着剤５０を塗布した後、框２１〜２４のコ字状部にガラスパネル２５を差し込んで、液状の接着剤を乾燥させることによって接着した形態とすることができる。以下、図５を参照しつつ、框とガラスパネルとの接着構造について説明する。
【００２８】
図５（ａ）は、図２に示される断面において領域Ｖで示される部分について拡大して示す図である。図が煩雑となるのを避けるため、部材を適宜省略している。図５（ａ）からわかるように、スペーサ５１ａの見付け方向外側端面は、ガラスパネル２５の二枚のガラス板の見付け方向外側端面よりも、見付け方向内側に存在している。すなわち、ガラスパネル２５の二枚のガラス板とスペーサ５１ａとによって、パネル外縁に凹部が形成され、接着剤５０ａを保持することが可能とされている。当該凹部は紙面奥手前に延在するため、ガラスパネル２５の上端面は溝状となっており、当該溝部に沿って接着剤５０ａが延在している。一方、上横框２１のコ字状被覆片２１ｃに設けられた凸部２１ｄは、見付け方向内側を向いており、上記ガラスパネル２５の溝部内側まで突出している。
【００２９】
図５（ｂ）〜（ｄ）を参照しつつ、ガラスパネル２５が上横框２１に接着される過程について、順に説明する。図５（ｂ）に示されるように、まず、ガラスパネル２５の見付け方向外側端部に存在する上記溝部に接着剤５０ａが充填される。当該接着剤５０ａを充填したのち、ガラスパネル２５は、上横框２１のコ字状被覆片２１ｃへと挿入される。ガラスパネル２５がコ字状被覆片２１ｃへと挿入されていくと、やがては、コ字状被覆片２１ｃに設けられたタッピングホール２１ｄの見付け方向内側端部へと、接着剤５０ａとが接触することとなる（図５（ｃ）の状態）。ガラスパネル２５をさらに奥へと挿入すると、タッピングホール２１ｄにより、接着剤５１ａがガラスパネル２５の溝部から押し出され、図５（ｃ）に矢印で示される方向へとあふれ出る。このことで、コ字状被覆片２１ｃの底片の面において、接着剤５０ａが均一に行き渡り、コ字状被覆片２１ｃとガラスパネル２５とが偏りなく強固に接着されることとなる。また、タッピングホール２１ｄの存在により、接着面積が大きくなるため、ガラスパネル２５とコ字状被覆片２１ｃとをより強固に接着することができる。さらに、二枚のガラス板の間にタッピングホール２１ｄが突出するように設けられるので、タッピングホール２１ｄの存在による障子２０の見付け寸法の増加を抑えることができる。
【００３０】
図６を参照しつつ、接着剤５０ａの塗布量とタッピングホール２１ｄとの関係についてさらに説明する。
【００３１】
接着剤５０ａの見付け方向外側の界面と、ガラスパネル２５の見付け方向外側端面（二枚のガラス板の見付け方向外側端面）とが略面一となるまで、接着剤５０ａをガラスパネル２５の溝部に充填し、ガラスパネル２５をコ字状被覆片２１ｃへと挿入した場合について考える。この場合、図６（ａ）に示されるように、接着剤５０ａは、タッピングホール２１ｄによって、斜線領域Ｃで示される分だけ溝部から押し出される。そして、溝部から押し出された接着剤５０ａは、斜線領域Ａ、Ｂで示される、ガラスパネル２５とコ字状被覆片２１との間の間隙へと行き渡ることとなる。このとき、間隙Ａ、Ｂの大きさ、及び押し出し量Ｃの関係が、Ａ＋Ｂ≦Ｃであれば、ガラスパネル２５とコ字状被覆片２１ｃとの間の間隙へと十分な量の接着剤５０ａを行き渡らせることができる。好ましくは、Ａ＋Ｂ＝Ｃである。このようにすれば、框−ガラスパネル間の十分な接着強度を得ることができるとともに、接着剤５０ａを必要最小限とすることができる。
【００３２】
次に、接着剤５０ａの見付け方向外側界面が、ガラスパネル２５の見付け方向外側端面（二枚のガラス板の見付け方向外側端面）よりも、見付け方向内側に位置するように、接着剤５０ａをガラスパネル２５の溝部に充填し、ガラスパネル２５をコ字状被覆片２１ｃへと挿入した場合について考える。この場合、図６（ｂ）に示されるように、接着剤５０ａは、タッピングホール２１ｄによって、斜線領域Ｃ’で示される分だけ溝部から押し出される。当該押し出し量Ｃ’は、上記押し出し量Ｃと比較して小さい。そして、溝部から押し出された接着剤５０ａは、斜線領域Ａ’、Ｂ’で示される、ガラスパネル２５とコ字状被覆片２１ｃとの間の間隙へと移動する。しかしながら、図６（ｂ）においては、押し出される接着剤５０ａの量が上記の場合よりも少ないので、ガラスパネル２５とコ字状被覆片２１との間の間隙へと十分な量の接着剤が行き渡らない虞がある。この場合、例えば、ガラスパネル２５をさらに奥へと挿入する、又は、より大きなタッピングホール２１ｄを形成する等して、押し出し量Ｃ’がより大きくなるように、又は間隙Ａ’、Ｂ’が小さくなるようにすれば、ガラスパネル２５とコ字状被覆片２１との間の間隙へと十分な量の接着剤を行き渡らせることができる。
【００３３】
このように、タッピングホールの大きさ、ガラスパネルの見込み幅や溝部深さ、ガラスパネルの框への挿入長さ等を考慮して、間隙（Ａ、Ｂ、Ａ’、Ｂ’）の大きさと、接着剤５０ａの押し出し量（Ｃ、Ｃ’）とが略同一となるように、接着剤５０ａの充填量をあらかじめ計算しておく。実際の製造ラインにおいては、当該計算によって導き出された充填量だけ、接着剤５０ａをガラスパネル２５の溝部に充填して、ガラスパネル２５とコ字状被覆片２１ｃとを接着することで、接着剤の無駄がなく、且つ、接着強度に優れる開口部装置１００を製造することができる。
【００３４】
また、図６において、間隙（Ａ、Ｂ、Ａ’、Ｂ’）の大きさが、Ａ＝Ｂ、Ａ’＝Ｂ’の関係を満たすように、タッピングホール２１ｄが、二枚のガラス板間の略中央に設けられることが好ましい。このようにすれば、間隙（Ａ、Ｂ、Ａ’、Ｂ’）に行き渡る接着剤５０ａに偏りが生じることがなく、ガラスパネル２５とコ字状被覆片２１ｃとの間で、接着剤が均等に行き渡るので、さらに框−ガラスパネル間の接着強度に優れる開口部装置１００とすることができる。
【００３５】
図７は、図２においてＶＩＩで示される領域について拡大して示す図であり、下横框２２とガラスパネル２５との接着構造について示している。図７に示されるように、下横框２２とガラスパネル２５とを接着する場合も、上記上横框２１とガラスパネル２５との接着構造と同様とすることができる。すなわち、コ字状被覆片２２ｃに設けられたタッピングホール２２ｄを利用して、接着剤５０ｂを、ガラスパネル２５とコ字状被覆片２２ｃとの間に均等に行き渡らせることで、接着剤の無駄がなく、且つ、接着強度に優れる開口部装置１００とすることができる。
【００３６】
＜障子３０＞
本実施形態において、障子３０は、図３、４に示されるように、障子２０とほぼ同様の構成を有するため、説明を省略する。但し、障子３０においても、上記障子２０と同様、框（上横框３１、下横框３２、戸先框３３、外召し合わせ框３４）のコ字状被覆片３１ｃ〜３４ｃにガラスパネル３５が接着剤等の接着手段により直接接着されている。特に、上横框３１、下横框３２にはタッピングホール３１ｄ、３２ｄが設けられているので、当該タッピングホール３１ｄ、３２ｄを利用して、コ字状被覆片３１ｃ、３２ｃとガラスパネル３５との間に、接着剤５０ｃ、５０ｄを均等に行き渡らせることができる。框とガラスパネル３５とを直接接着することで、框の見付け幅を縮小でき、ガラスパネル３５の採光面積を拡大することができる。さらに、好ましくは、障子２０、３０のすべての框とガラスパネルとを直接接着する形態とすることで、開口部装置１００全体としての採光面積に与える影響が極めて大きくなるとともに、開口部装置１００全体の外観視が極めてシンプルとなるため、従来よりも採光性、意匠性に優れる開口部装置１００とすることができる。
【００３７】
上記説明においては、戸先框２３、３３、内召し合わせ框２４、及び外召し合わせ框３４にタッピングホール等の凸部が何ら設けられない形態について説明したが本発明はこれに限定されない。図８に、開口部装置１００の変形例である開口部装置１００’を示す。図８において、図４と同様の構成については、同符号を付して説明を省略する。
【００３８】
図８に示されるように、開口部装置１００’の障子２０’、３０’には、戸先框２３’、３３’、内召し合わせ框２４’、及び外召し合わせ框３４’（以下、「框２３’〜３４’」という。）が備えられている。框２３’〜３４’のコ字状被覆片２３’ｃ〜３４’ｃには、凸部２３’ｄ〜３４’ｄが設けられている。コ字状被覆片２３’ｃ〜３４’ｃに当該凸部２３’ｄ〜３４’ｄを設けることで、コ字状被覆片２３’ｃ〜３４’ｃとガラスパネル２５、３５との間に接着剤５０’ｅ〜５０’ｈを均等に行き渡らせることができる。凸部２３’ｄ〜３４’ｄの形状、大きさ、及び位置については、接着剤５０’ｅ〜５０’ｈをコ字状被覆片２３’ｃ〜３４’ｃとガラスパネル２５、３５との間に行き渡らせることが可能であれば、特に限定されない。図８に示されたような略半円形の凸部のほか、略矩形状、略三角形状等としてもよい。但し、上記タッピングホールの場合と同様に、二枚のガラス板間の略中央に凸部が配置される形態が好ましい。
【００３９】
また、上記説明においては、戸先框２３、３３、内召し合わせ框２４、及び外召し合わせ框３４にタッピングホールが設けられない形態について説明したが、本発明はこれに限定されず、障子２０、３０を、いわゆる横通しの障子として、戸先框２３、３３、内召し合わせ框２４、及び外召し合わせ框３４にタッピングホールを設けてもよい。
【００４０】
また、上記説明においては、コ字状被覆片２１ｃ〜３２ｃ、２３’ｃ〜３４’ｃにおいて、タッピングホール（凸部）が一つずつ設けられる形態について説明したが、本発明はこれに限定されず、凸部が複数設けられた形態であってもよい。
【００４１】
また、上記説明においては、接着手段として接着剤５０を用いる形態について説明したが、本発明はこれに限定されない。凸部によって形状が変化しうる接着手段、例えば、軟性の接着シート等を用いてもよい。但し、本発明の効果がより顕著に得られる観点から、液状の接着剤を用いることが好ましい。
【００４２】
また、上記説明においては、枠体１０の縦枠１４、１５にカバー部材８０、８１が備えられるとともに、戸先框２３、３３に把手２６、３６が備えられる形態について説明したが、本発明はこれに限定されない。カバー部材８０、８１及び把手２６、３６を設けず、戸先框２３、３３に溝部を設けることと等によって障子２０、３０をスライド可能な形態としてもよい。但し、断熱性確保の観点、意匠性向上の観点から、カバー部材８０、８１を設け、引手用の把手２６、３６を設けることが好ましい。
【００４３】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【符号の説明】
【００４４】
１０            枠体
１１            上横枠
１２            下横枠
１４、１５        縦枠
２０            障子
２１            上横框
２１ｃ            コ字状被覆片
２１ｄ            タッピングホール（凸部）
２２            下横框
２２ｃ            コ字状被覆片
２２ｄ            タッピングホール（凸部）
２３            戸先框
２４            内召し合わせ框
２５            ガラスパネル
２６            把手
３０            障子
４０            施錠装置
５０ａ〜５０ｆ        接着剤
５１ａ〜５１ｈ        スペーサ
８０、８１        カバー部材
１００            開口部装置
【図１】
2010281073.tif 000003
【図２】
2010281073.tif 000004
【図３】
2010281073.tif 000005
【図４】
2010281073.tif 000006
【図５】
2010281073.tif 000007
【図６】
2010281073.tif 000008
【図７】
2010281073.tif 000009
【図８】
2010281073.tif 000010